(57)【特許請求の範囲】
【請求項１】
無線通信によりネットワーク上のコンテンツサーバにアクセスして、前記コンテンツサーバが管理するコンテンツデータを閲覧する機能を備えた携帯端末装置であって、
前記コンテンツサーバからダウンロードするキャッシュの取得期間であるダウンロード範囲を導出するダウンロード範囲導出手段と、
前記コンテンツサーバから前記ダウンロード範囲のコンテンツデータをダウンロードして予めキャッシュするようにキャッシュ指示を行うダウンロード指示手段と、
前記キャッシュ指示により前記コンテンツサーバからダウンロードして予めキャッシュした前記ダウンロード範囲のキャッシュデータを記憶するキャッシュデータ記憶手段と、
前記コンテンツサーバとの通信が絶たれたオフラインの状態でも前記キャッシュデータ記憶手段に予めキャッシュした前記キャッシュデータを読み出して表示する表示手段と、を具備し、
前記ダウンロード範囲導出手段により導出される前記キャッシュの取得期間は、前記コンテンツサーバにアクセスした現在日の前後の予め設定した一定期間である、
携帯端末装置。
【請求項２】
無線通信によりネットワーク上のコンテンツサーバにアクセスして、前記コンテンツサーバが管理するコンテンツデータを閲覧する機能を備えた携帯端末装置であって、
前記コンテンツサーバからダウンロードするキャッシュの取得期間であるダウンロード範囲を導出するダウンロード範囲導出手段と、
前記コンテンツサーバから前記ダウンロード範囲のコンテンツデータをダウンロードして予めキャッシュするようにキャッシュ指示を行うダウンロード指示手段と、
前記キャッシュ指示により前記コンテンツサーバからダウンロードして予めキャッシュした前記ダウンロード範囲のキャッシュデータを記憶するキャッシュデータ記憶手段と、
前記コンテンツサーバとの通信が絶たれたオフラインの状態でも前記キャッシュデータ記憶手段に予めキャッシュした前記キャッシュデータを読み出して表示する表示手段と、を具備し、
前記ダウンロード範囲導出手段により導出される前記キャッシュの取得期間は、指示された日を含む週又は指示された週を基準としてひとつ前の週からひとつ後の週までの期間である、
携帯端末装置。
【請求項３】
ユーザにより閲覧要求されたコンテンツデータが前記キャッシュデータ記憶手段に予めキャッシュされているか否かを判断する判断手段を備え、
前記ダウンロード指示手段は、前記判断手段により前記閲覧要求されたコンテンツデータが前記キャッシュデータ記憶手段に予めキャッシュされていないと判定された場合に、前記閲覧要求されたコンテンツデータを前記コンテンツサーバから直接ダウンロードしてキャッシュするようにキャッシュ指示を行う、
請求項１記載の携帯端末装置。
【請求項４】
前記ダウンロード指示手段は、前記コンテンツサーバから直接ダウンロードしてキャッシュするようにキャッシュ指示した現在日の前後の予め設定した一定期間のコンテンツデータも併せて直接ダウンロードしてキャッシュするようにキャッシュ指示を行う、
請求項３記載の携帯端末装置。
【請求項５】
前記ダウンロード指示手段は、現在日を先に前後期間を後に別々に分けてダウンロードしてキャッシュするようにキャッシュ指示を行う、
請求項４記載の携帯端末装置。
【請求項６】
コンテンツを管理するコンテンツサーバと、前記コンテンツサーバに格納されているコンテンツデータを閲覧する機能を備えた携帯端末装置と、前記コンテンツサーバへの前記携帯端末装置のアクセスおよび前記コンテンツサーバから前記携帯端末装置への前記コンテンツの配信を行う通信ネットワークと、を備えたコンテンツ管理システムであって、
前記携帯端末装置は、前記コンテンツサーバからダウンロードするキャッシュの取得期間であるダウンロード範囲を導出するダウンロード範囲導出手段と、前記コンテンツサーバから前記ダウンロード範囲のコンテンツデータをダウンロードして予めキャッシュするようにキャッシュ指示を行うダウンロード指示手段と、前記キャッシュ指示により前記コンテンツサーバからダウンロードして予めキャッシュした前記ダウンロード範囲のキャッシュデータを記憶するキャッシュデータ記憶手段と、前記コンテンツサーバとの通信が絶たれたオフラインの状態でも前記キャッシュデータ記憶手段に予めキャッシュした前記キャッシュデータを読み出して表示する表示手段と、を具備し、
前記ダウンロード範囲導出手段により導出される前記キャッシュの取得期間は、前記コンテンツサーバにアクセスした現在日の前後の予め設定した一定期間である、
コンテンツ管理システム。
【請求項７】
無線通信によりネットワーク上のコンテンツサーバにアクセスして、前記コンテンツサーバが管理するコンテンツデータを閲覧する機能を備えた携帯端末装置のデータキャッシュ方法であって、
前記コンテンツサーバから所望のコンテンツデータをダウンロードしてキャッシュするようにキャッシュ指示を行うダウンロード指示ステップと、
前記ダウンロード指示ステップにおける手段のキャッシュ指示により前記コンテンツサーバからダウンロードしてキャッシュするキャッシュデータを記憶するキャッシュデータ記憶ステップと、
前記ダウンロード指示ステップでキャッシュ指示を行う際の前記コンテンツサーバからダウンロードするキャッシュの取得期間であるダウンロード範囲を導出するダウンロード範囲導出ステップと、を具備し、
前記ダウンロード範囲導出ステップにより導出される前記キャッシュの取得期間は、前記コンテンツサーバにアクセスした現在日の前後の予め設定した一定期間である、
データキャッシュ方法。
【発明の詳細な説明】
【技術分野】
【０００１】
本発明は、ネットワーク上のコンテンツサーバに格納されている日記やスケジュール等のコンテンツを閲覧する機能を備えた携帯電話やＰＤＡ（Personal Digital Assistance）などの携帯端末装置、ネットワーク上のコンテンツサーバでコンテンツを管理しコンテンツサーバにアクセスした携帯端末装置にコンテンツを配信するコンテンツ管理システム、及び携帯端末装置にコンテンツサーバが配信するコンテンツデータをキャッシュするデータキャッシュ方法に関する。
【背景技術】
【０００２】
近年、インターネットやイントラネットなどのネットワーク上でコンテンツを管理するサービス（以下、このサービスを行うシステムを「コンテンツ管理システム」という）が増えている。
【０００３】
このようなコンテンツ管理システムとしては、例えば、「サイボウズＯｆｆｉｃｅ」、「ｉＣａｌ」、「Ｙａｈｏｏ！カレンダー」（いずれも登録商標）などのスケジュール管理システム、及びブログや電子アルバムサービスを提供する「ｌｉｖｅｄｏｏｒ  ｂｌｏｇ」、「Ｙａｈｏｏ！フォト」（いずれも登録商標）などの思い出・日記管理システムがある。
【０００４】
このようなコンテンツ管理システムにおいては、文章、写真、動画、音声、などの電子データからなるコンテンツがネットワーク上のコンテンツサーバ内に格納されている。
【０００５】
この種のコンテンツ管理システムにおけるサービスの利用者は、自宅や職場のＰＣ（Personal Computer）のような固定端末装置（以下、単に「固定端末」という）、あるいはノートＰＣ、携帯電話、ＰＤＡなどのモバイル通信を行う携帯端末装置（以下、単に「携帯端末」という）を使って、ネットワーク上のコンテンツサーバにアクセスすることで、コンテンツサーバ内に格納されているスケジュールや日記などのコンテンツを閲覧することができる。
【０００６】
従来、このようなコンテンツ管理システムとして、携帯端末が無線ネットワークを介してインターネットに接続するときにも有効な先読みキャッシュを可能とする情報配信システムが提案されている（例えば、特許文献１参照）。
【０００７】
この情報配信システムにおいては、インターネット上のＷｅｂサーバが要求されたＷｅｂページを提供する際、要求されたＷｅｂページからリンクされるリンク先ページが、要求されたＷｅｂページをリンク元として、過去にどれだけアクセスされたかを示すカウント情報を含む履歴情報を、要求されたＷｅｂページに付加して提供する。
【０００８】
そして、携帯端末（特許文献１では「移動端末」）において、あるページに対するアクセスが発生した場合に、アクセスするページからリンクされるリンク先へのジャンプ確率に基づいて、携帯端末自身とキャッシュサーバにそれぞれどのリンク先ページを先読みキャッシュするかを決定している。
【０００９】
ところで、上述のような日記管理システムやスケジュール管理システムのサービスにおいては、ネットワーク上のコンテンツサーバである日記サーバやスケジュールサーバに接続された固定端末や携帯端末から日記やスケジュールなどのコンテンツの閲覧や操作が行われる。
【００１０】
具体的には、サービスの利用者は、固定端末あるいは携帯端末で閲覧したい日記やスケジュールの日時を指定し、該当する日時の日記やスケジュールのデータを、ネットワーク上の日記サーバやスケジュールサーバにアクセスして取得するようになっている。
【００１１】
このような日記やスケジュールなどのコンテンツは、時間の流れに沿って日記サーバやスケジュールサーバに記録されるという特徴を有している。
【００１２】
また、日記管理システムやスケジュール管理システムにおける日記サーバやスケジュールサーバには、指定の日時以外の日時に容易にジャンプする機能が用意されている。
【００１３】
これにより、サービスの利用者は、所望の日時の日記やスケジュールを見た後、例えば前後の日や週にジャンプして、他の日記やスケジュールを容易に参照することができる。
【００１４】
このようなことから、この種のサービスの利用者は、一般に、「今日」の日記やスケジュールなどを閲覧した後、「明日」の日記やスケジュールなどを閲覧し、「明日」の日記やスケジュールを見た後は「明後日」の日記やスケジュールを閲覧する傾向がある。
【特許文献１】特開２０００−２５０８０３号公報
【発明の開示】
【発明が解決しようとする課題】
【００１５】
ところで、前述したコンテンツ管理システムにおいて、利用者が自宅やオフィスなどに据え置かれた固定端末を用いてサービスを受けている場合には、コンテンツサーバに格納されているコンテンツを常に安定して閲覧することができる。
【００１６】
これは、自宅やオフィスなどに据え置かれた固定端末は、通常、有線ＬＡＮなどによってコンテンツサーバに常時接続されており、固定端末のコンテンツサーバへのアクセスが不能になることがないためである。
【００１７】
しかしながら、携帯電話やＰＤＡなどの携帯端末は、無線によってコンテンツサーバに接続されており、また移動しながら使用されることが多く、伝搬環境により電波強度が常に変化してしまう。
【００１８】
このため、この種のコンテンツ管理システムにおいて、サービスの利用者が携帯端末を使用している場合には、伝搬環境による電波強度の変化により携帯端末とコンテンツサーバとの接続が不安定になったり、場合によっては通信エリアの圏外になって切断されたりすることがある。
【００１９】
このように、この種のコンテンツ管理システムでは、携帯端末を使用してサービスを受けている場合、伝搬環境による電波強度の変化によりサービスが中断されるおそれがあるため、コンテンツを安定して閲覧できないという課題がある。
【００２０】
このようなコンテンツの閲覧途中でのサービスの中断は、サービスの利用者に大きなストレスを与えてしまうことになる。
【００２１】
このようなサービスの利用者のストレスを解消するためには、携帯端末とコンテンツサーバとが接続されていない状態でもコンテンツを閲覧できるようにすればよい。
【００２２】
このように携帯端末とコンテンツサーバとが接続されていない状態でもコンテンツの閲覧を可能にする方法としては、コンテンツサーバに記憶されている全てのコンテンツデータを携帯端末のメモリにローカルにキャッシュして予め格納しておくことが考えられる。
【００２３】
しかしながら、携帯電話やＰＤＡなどの携帯端末は、小型軽量化が望まれており、記憶容量の大きなメモリを搭載することが困難なため、全てのコンテンツデータをローカルにキャッシュすることは事実上不可能である。
【００２４】
なお、他の方法としては、例えばＷＥＢブラウザのように、一度アクセスしたページをローカルにキャッシュして保存しておく仕組みが考えられる。
【００２５】
しかし、この方法では、一度アクセスしたページは閲覧できるが、まだアクセスしていないページはキャッシュされないため閲覧することができない。
【００２６】
本発明は、かかる点に鑑みてなされたもので、携帯端末装置がネットワーク上のコンテンツサーバと接続されていないオフラインの状態であってもコンテンツを閲覧することができる携帯端末装置、コンテンツ管理システム、及びデータキャッシュ方法を提供することを目的とする。
【課題を解決するための手段】
【００２７】
かかる課題を解決するため、本発明の態様の一つに係る携帯端末装置は、無線通信によりネットワーク上のコンテンツサーバにアクセスして、前記コンテンツサーバが管理するコンテンツデータを閲覧する機能を備えた携帯端末装置であって、前記コンテンツサーバからダウンロードするキャッシュの取得期間であるダウンロード範囲を導出するダウンロード範囲導出手段と、前記コンテンツサーバから前記ダウンロード範囲のコンテンツデータをダウンロードして予めキャッシュするようにキャッシュ指示を行うダウンロード指示手段と、前記キャッシュ指示により前記コンテンツサーバからダウンロードして予めキャッシュした前記ダウンロード範囲のキャッシュデータを記憶するキャッシュデータ記憶手段と、前記コンテンツサーバとの通信が絶たれたオフラインの状態でも前記キャッシュデータ記憶手段に予めキャッシュした前記キャッシュデータを読み出して表示する表示手段と、を具備する、構成を採る。
【発明の効果】
【００２８】
本発明によれば、携帯端末装置がネットワーク上のコンテンツサーバに繋がっていないオフラインの状態であっても、キャッシュデータ記憶手段に記憶容量分だけ予めキャッシュしておいたコンテンツデータを適時読み出して閲覧することができる。
【発明を実施するための最良の形態】
【００２９】
以下、本発明の実施の形態について、図面を参照して詳細に説明する。なお、各図において同一の構成または機能を有する構成要素及び相当部分には、同一の符号を付してその説明は繰り返さない。
【００３０】
図１は、本発明の一実施の形態に係るコンテンツ管理システムの全体構成を示すブロック図である。なお、ここでは、コンテンツ管理システムのサービスの利用者が携帯電話やＰＤＡなどの携帯端末を用いてコンテンツサーバである日記サーバにアクセスして日記を閲覧する場合を例にとって説明することとする。
【００３１】
図１に示すように、本例のコンテンツ管理システム１００は、無線基地局２００、携帯端末４００、日記サーバ５００などで構成される。
【００３２】
本例のコンテンツ管理システム１００で用いられる携帯端末４００は、無線基地局２００を介してインターネット３００に接続する機能を備えている。
【００３３】
また、携帯端末４００は、付属のＷＥＢブラウザや日記（カレンダー）アプリケーションを使って、インターネット３００上の日記サーバ５００に格納されている日記データを閲覧する機能を備えている。
【００３４】
ここで、日記アプリケーションを起動すると、携帯端末４００の液晶ディスプレイなどからなる表示部４０１に、例えば図２に示すような週単位表示のカレンダー４２１が表示される。
【００３５】
この日記アプリケーションは、日記の書き込みやスケジュールなどのイベントの有無をカレンダー４２１上にプロットすることができる。この日記アプリケーションにおいては、図２に「■」で示すイベントマーク４２２がカレンダー４２１上にイベントが存在を示していることを示している。
【００３６】
また、この日記アプリケーションは、カレンダー４２１上にプロットされているイベントマーク４２２をクリックすると、ポップアップあるいはページ切り替え機能により、図３に示すようなイベントの詳細を示すイベント詳細画面４３１が表示部４０１に表示される。
【００３７】
イベント詳細画面４３１は、文章やコメントあるいは画像や映像などからなり、例えば図３に示すように、イベントのあった時間、写真、撮影場所の住所、撮影場所の地図、コメントなどで構成される。
【００３８】
また、この日記アプリケーションは、表示部４０１に表示されるカレンダー４２１のページを、日単位、週単位、月単位、年単位などのページに切り替えるページ切り替え機能も搭載している。
【００３９】
上述のイベントの有無やその内容などの日記データは、インターネット３００上にある日記サーバ５００の中で管理されている。
【００４０】
なお、本例のコンテンツ管理システム１００で用いられる携帯端末４００の日記アプリケーションは、表示部４０１に表示されるカレンダー４２１のレイアウトやコンテンツの中身が上述した内容に限定されるものではなく、日付情報とイベント内容を括り付けて管理する形式のものであればよい。
【００４１】
また、日記アプリケーションは、カレンダー４２１上にプロットされているイベントマーク４２２をクリックしてイベント詳細画面４３１を表示するページ切り替える機能では無く、カレンダー４２１の週表示内に詳細内容が書かれている構成でも構わない。
【００４２】
また、日記アプリケーションのカレンダー４２１は、図示では週単位表示であるが、日単位表示または月単位表示であってもよい。
【００４３】
また、図示の日記アプリケーションは、ページ切り替え機能により、日単位、週単位、月単位、年単位などのページに切り替えるようにしているが、閲覧したい日付を指定して日記ページを検索して表示する機能を備えたものであってもよい。
【００４４】
日記サーバ５００は、ＷＥＢサーバとして機能し、ハイパーテキスト転送プロトコル（ｈｔｔｐ：Hypertext Transfer Protocol）を使って携帯端末４００に日記データを届ける構成が考えられる（ただし、この構成に限定されるものではない）。
【００４５】
また、携帯端末４００と無線基地局２００との間の通信は、無線ＬＡＮあるいはセルラー通信など、ＩＰ通信ができればどのような通信方法であってもよい。
【００４６】
図１において、携帯端末４００によりインターネット３００上の日記サーバ５００に格納されている日記データを閲覧するには、まず携帯端末４００で日記アプリケーション（スケジューラ）を起動する。
【００４７】
次いで、携帯端末４００は、例えば現在週の日記データを表示するように日記閲覧指示を受ける。この日記閲覧指示は、ユーザがキーボードなどを使って行ったり、日記アプリケーションの起動後に、日記アプリケーション自身が行ったりする。
【００４８】
これにより、携帯端末４００は、指示された週（現在週）の日記データの転送を要求する「日記データ要求メッセージ（現在週）」を作成し、日記サーバ５００に送信する。
【００４９】
日記サーバ５００は、携帯端末４００から送信された「日記データ要求メッセージ（現在週）」に記載された週の日記データを抽出し、その日記データを含む「日記データ応答メッセージ（現在週）」を作成し、携帯端末４００に送信する。
【００５０】
日記サーバ５００からの「日記データ応答メッセージ（現在週）」を受け取った携帯端末４００は、日記サーバ５００の応答メッセージから日記データを抽出して、抽出した日記データを表示部４０１に表示する。
【００５１】
ここで、例えば、ユーザが、表示部４０１に表示中の日記の「次の週」の日記データの日記閲覧指示を出したとする。
【００５２】
これにより、この日記閲覧指示を受け取った携帯端末４００は、日記サーバ５００との間で上述と同様に、「日記データ要求メッセージ（次の週）」及び「日記データ応答メッセージ（次の週）」のやりとりを行い、日記サーバ５００から「次の週」の日記データを取得し、取得した「次の週」の日記データを表示部４０１に表示する。
【００５３】
ところで、この種の従来のコンテンツ管理システムにおいては、上述のように携帯端末４００を使用して日記データを閲覧している場合、伝搬環境による電波強度の変化により携帯端末４００と日記サーバ５００との通信が切断されたオフラインの状態では、日記データを閲覧することができない。
【００５４】
また、ＷＥＢブラウザのように一度アクセスしたページをローカルにキャッシュする方法では、ネットワーク（インターネット３００）に繋がってないとき、一度アクセスした同じページの日記データは閲覧可能であるが、「次の週」などのようなアクセスしていない未知のページの日記データを閲覧できない。
【００５５】
そこで、本例のコンテンツ管理システム１００においては、携帯端末４００及び日記サーバ５００を以下のような構成とする。図４は、本発明の一実施の形態に係るコンテンツ管理システムで用いる携帯端末の構成を示すブロック図である。図５は、本発明の一実施の形態に係るコンテンツ管理システムで用いる日記サーバの構成を示すブロック図である。
【００５６】
図４に示すように、本例のコンテンツ管理システム１００で用いる携帯端末４００は、表示部４０１、入力部４０２、日時管理部４０３、ダウンロード指示部４０４、日記アプリケーション制御部４０５、キャッシュアクセス部４０６、要求日時記憶部４０７、キャッシュデータ記憶部４０８、ダウンロードパラメータ記憶部４０９、ダウンロード範囲導出部４１０、日記サーバアクセス部４１１、パケット解析部４１２、パケット受信部４１３、パケット送信部４１４を備えている。
【００５７】
図４において、表示部４０１は、液晶ディスプレイなどからなり、ユーザの指示や日記アプリケーションの動作に従って、所定の画面表示を行う。
【００５８】
入力部４０２は、キーボードやタッチパネルなどからなり、ユーザが閲覧したい日記データの検索条件などを入力する。
【００５９】
日時管理部４０３は、時計により時刻情報を管理する。
【００６０】
ダウンロード指示部４０４は、日記サーバ５００から所望の日記データをダウンロードするように日記データのキャッシュ指示を行う。このダウンロード指示部４０４は、定期的に日記データをキャッシュしたり、所定の条件に合うと日記データをキャッシュしたりと、様々なタイミングで日記データのキャッシュ指示を行うように予め設定することができる。
【００６１】
日記アプリケーション制御部４０５は、日記のページめくりや詳細表示など、日記アプリケーションとしての基本動作の制御を行う。
【００６２】
キャッシュアクセス部４０６は、キャッシュする日記データの「読み」、「書き」、「検索」を行う。
【００６３】
要求日時記憶部４０７は、日記サーバ５００に要求している日記データの「指定日」を記憶する。つまり、要求日時記憶部４０７は、携帯端末４００が日記サーバ５００にデータ取得を要求している日（指定日）を記憶し、携帯端末４００が日記サーバ５００にデータ取得を要求していないときは、それを示す値（例えば０など）を設定する。
【００６４】
キャッシュデータ記憶部４０８は、ダウンロード指示部４０４のキャッシュ指示により日記サーバ５００からダウンロードしてキャッシュするキャッシュデータを記憶する。
【００６５】
ダウンロードパラメータ記憶部４０９は、ダウンロードするキャッシュの取得期間を記憶する。このダウンロードパラメータ記憶部４０９が記憶するキャッシュの取得期間は、過去範囲と未来範囲とに分けられる。過去範囲は、指定日より、過去どれくらいの期間キャッシュするかを規定している。また、未来範囲は、指定日より、未来どれくらいの期間キャッシュするかを規定している。
【００６６】
ダウンロード範囲導出部４１０は、ダウンロード指示部４０４がキャッシュ指示を行う際の日記サーバ５００からダウンロードするキャッシュの取得期間（ｂｅｇｉｎとｅｎｄ）であるダウンロード範囲を導出する。
【００６７】
日記サーバアクセス部４１１は、日記サーバ５００へ送信するパケットを作成する。
【００６８】
パケット解析部４１２は、パケット受信部４１３で受信したパケットの中身を解析する。
【００６９】
パケット受信部４１３は、パケットをネットワークインタフェース（通信ポート）から受信する。
【００７０】
パケット送信部４１４は、日記サーバアクセス部４１１で作成した日記サーバ５００へ送信するパケットをネットワークインタフェース（通信ポート）に送信する。
【００７１】
一方、図５に示すように、本例のコンテンツ管理システム１００で用いる日記サーバ５００は、日記データ記憶部５０１、日記データアクセス部５０２、携帯端末アクセス部５０３、パケット解析部５０４、パケット受信部５０５、パケット送信部５０６を備えている。
【００７２】
図５において、日記データ記憶部５０１は、日記データのオリジナルを記憶する。
【００７３】
日記データアクセス部５０２は、日記データの「読み」、「書き」、「検索」を行う。
【００７４】
携帯端末アクセス部５０３は、携帯端末４００へ送信するパケットを作成する。
【００７５】
パケット解析部５０４は、パケット受信部５０５で受信したパケットの中身を解析する。
【００７６】
パケット受信部５０５は、パケットをネットワークインタフェース（通信ポート）から受信する。
【００７７】
パケット送信部５０６は、携帯端末アクセス部５０３で作成した携帯端末４００へ送信するパケットをネットワークインタフェース（通信ポート）に送信する。
【００７８】
次に、本例のコンテンツ管理システム１００の動作について説明する。図６は、本発明の一実施の形態に係るコンテンツ管理システムの動作を示すシーケンス図である。
【００７９】
図６において、携帯端末４００を用いて日記サーバ５００に格納されている日記データを閲覧するには、まず携帯端末４００で日記アプリケーション（スケジューラ）を起動する。
【００８０】
次いで、携帯端末４００は、所望の日記データを取得するための日記データ取得指示を出す（ステップＳＴ６０１）。この日記データ取得指示は、ユーザがキーボードなどを使って行う。
【００８１】
そして、携帯端末４００は、指示された週の日記データ（ここでは、現在週と前後週のデータ）の転送を要求する「日記データ要求メッセージ」を作成し、日記サーバ５００に送信する（ステップＳＴ６０２）。
【００８２】
これにより、日記サーバ５００は、携帯端末４００から送信された「日記データ要求メッセージ」に記載された現在週と前後週のデータを抽出し（ステップＳＴ６０３）、その日記データを含む「日記データ応答メッセージ」を作成し、携帯端末４００に送信する（ステップＳＴ６０４）。
【００８３】
日記サーバ５００から「日記データ応答メッセージ」を受け取った携帯端末４００は、日記サーバ５００から送信された日記データを、キャッシュデータ記憶部４０８に記憶する（ステップＳＴ６０５）。
【００８４】
次いで、携帯端末４００は、例えば現在週の日記データを表示するように日記閲覧指示を受ける（ステップＳＴ６０６）。この日記閲覧指示は、ユーザがキーボードなどを使って行ったり、日記アプリケーション自身が行ったりする。
【００８５】
これにより、携帯端末４００は、ステップＳＴ６０５において予めキャッシュしておいた日記データを、キャッシュデータ記憶部４０８から読み出し（ステップＳＴ６０７）、読み出した現在週の日記データを表示部４０１に表示する。
【００８６】
ここで、例えば、ユーザが、表示部４０１に表示中の日記の「次の週」の日記データの日記閲覧指示を出したとする（ステップＳＴ６０８）。
【００８７】
この日記閲覧指示を受け取った携帯端末４００は、キャッシュデータ記憶部４０８から「次の週」の日記データを読み出し（ステップＳＴ６０９）、読み出した「次の週」の日記データを表示部４０１に表示する。
【００８８】
このように、本例のコンテンツ管理システム１００においては、ユーザが所望の日や週の日記閲覧指示を出す前に、ユーザが閲覧する可能性の高い現在週と前後週の日記データを、日記サーバ５００から予めダウンロード（先読み）して、携帯端末４００のキャッシュデータ記憶部４０８に記憶しておくことができる。
【００８９】
従って、本例のコンテンツ管理システム１００においては、携帯端末４００と日記サーバ５００との通信が切断されたオフラインの状態であっても、ユーザの要求に応じた日記データを、携帯端末４００のキャッシュデータ記憶部４０８から適時読み出して閲覧することが可能となる。
【００９０】
ところで、図６に示したシーケンスでは、携帯端末４００のキャッシュデータ記憶部４０８に予め記憶しておいた日記データは適時読み出して閲覧できるが、ステップＳＴ６０５でキャッシュデータ記憶部４０８に記憶されなかった日記データは閲覧することができない。
【００９１】
そこで、本例のコンテンツ管理システム１００においては、キャッシュデータ記憶部４０８に予め記憶されていない日記データを閲覧する場合には、図７に示すように動作するようになっている。
【００９２】
図７は、本発明の一実施の形態に係るコンテンツ管理システムにおいて携帯端末に予め記憶されていない日記データを閲覧する場合の動作を示すシーケンス図である。
【００９３】
図７において、ステップＳＴ７０１からステップＳＴ７０５までの各ステップの動作は、図６に示したステップＳＴ６０１からステップＳＴ６０５までの各ステップの動作と同じであるので、ここでの説明を省略する。
【００９４】
ステップＳＴ７０５において携帯端末４００が日記サーバ５００から送信された日記データをキャッシュデータ記憶部４０８に記憶した後、例えば過去の古い日記など、キャッシュデータ記憶部４０８にキャッシュされていない週（ここでは、１年前の第２週）の日記データを閲覧する場合には、１年前の第２週の日記データを取得するための日記取得指示が出される（ステップＳＴ７０６）。この日記取得指示は、ユーザがキーボードなどを使って行ったり、日記アプリケーション自身が行ったりする。
【００９５】
この日記取得指示により、携帯端末４００は、指示された１年前の第２週の日記データと前後週のデータの転送を要求する「日記データ要求メッセージ」を作成し、日記サーバ５００に送信する（ステップＳＴ７０７）。
【００９６】
これにより、日記サーバ５００は、携帯端末４００から送信された「日記データ要求メッセージ」に記載された１年前の第２週の日記データと前後週のデータを抽出し（ステップＳＴ７０８）、その日記データを含む「日記データ応答メッセージ」を作成し、携帯端末４００に送信する（ステップＳＴ７０９）。
【００９７】
日記サーバ５００から「日記データ応答メッセージ」を受け取った携帯端末４００は、日記サーバ５００から送信された１年前の第２週の日記データを、キャッシュデータ記憶部４０８に記憶する（ステップＳＴ７１０）。
【００９８】
次いで、携帯端末４００は、１年前の第２週の日記データを表示するように日記閲覧指示を受ける（ステップＳＴ７１１）。
【００９９】
これにより、携帯端末４００は、ステップＳＴ７１０においてキャッシュした１年前の第２週の日記データを、キャッシュデータ記憶部４０８から読み出し（ステップＳＴ７１２）、読み出した１年前の第２週の日記データを表示部４０１に表示する。
【０１００】
ここで、ユーザが、表示部４０１に表示中の１年前の第２週の日記の「次の週」である１年前の第３週の日記データの日記閲覧指示を出したとする（ステップＳＴ７１３）。
【０１０１】
この日記閲覧指示を受け取った携帯端末４００は、キャッシュデータ記憶部４０８から１年前の第３週の日記データを読み出し（ステップＳＴ７１４）、読み出した１年前の第３週の日記データを表示部４０１に表示する。
【０１０２】
このように、本例のコンテンツ管理システム１００においては、キャッシュデータ記憶部４０８に予め記憶されていない過去の古い日記データを閲覧する場合であっても、ユーザが日記閲覧指示を出す前に、所望の週とその前後週の日記データを、日記サーバ５００から予めダウンロード（先読み）して、携帯端末４００のキャッシュデータ記憶部４０８に記憶しておくことができる。
【０１０３】
従って、本例のコンテンツ管理システム１００においては、携帯端末４００と日記サーバ５００との通信が切断されたオフラインの状態で、かつキャッシュデータ記憶部４０８に予め記憶されていない過去の古い日記データを閲覧する場合であっても、ユーザの要求に応じた日記データを、携帯端末４００のキャッシュデータ記憶部４０８から適時読み出して閲覧することが可能となる。
【０１０４】
ここで、日記サーバ５００は、携帯端末４００から要求された日のデータと、その前後週のデータとを分離して携帯端末４００に別々に送るようにし、要求された日のデータを携帯端末４００に先に送るようにしている。
【０１０５】
これにより、ユーザは、携帯端末４００がデータの先読みを行っている最中であっても、データの先読み動作が完了するのを待たずに、所望の日のデータを閲覧することができるようになり、データ表示の遅れによるユーザへのストレスを軽減させることができる。
【０１０６】
次に、本例のコンテンツ管理システム１００における日記データの構成について説明する。図８は、本発明の一実施の形態に係るコンテンツ管理システムにおける日記サーバの中の日記データベース構成を示す図である。図９は、本発明の一実施の形態に係るコンテンツ管理システムにおける携帯端末の中の日記データベース構成を示す図である。
【０１０７】
図８に示すように、本例のコンテンツ管理システム１００における日記サーバ５００の中の日記データは、ユーザが所有している携帯端末別（４００Ａ，４００Ｂ，４００Ｃ，・・・，４００Ｘ）に分類されている。
【０１０８】
また、ユーザが所有している各携帯端末４００Ａ，４００Ｂ，４００Ｃ，・・・，４００Ｘの日記データは、それぞれ日付別に分類されている。
【０１０９】
なお、日記サーバ５００の日記データのデータベース構成は、図８に示したものに限定されるものではなく、例えば、日記データを時間別に分類したり、イベント別に分類したりしてもよい。
【０１１０】
図９に示すように、本例のコンテンツ管理システム１００における携帯端末４００の中の日記データは、日付別に分類されている。
【０１１１】
この携帯端末４００の日記データのデータベース構成も、図９に示したものに限定されるものではなく、日記サーバ５００の日記データと同様に、日記データを時間別に分類したり、イベント別に分類したりしてもよい。
【０１１２】
次に、本例のコンテンツ管理システム１００における携帯端末４００と日記サーバ５００との間でやり取りされるメッセージの形式について説明する。図１０は、本発明の一実施の形態に係るコンテンツ管理システムにおける携帯端末から日記サーバへのメッセージの形式を示す図である。図１１は、本発明の一実施の形態に係るコンテンツ管理システムにおける日記サーバから携帯端末へのメッセージの形式を示す図である。
【０１１３】
図１０に示すように、携帯端末４００から日記サーバ５００へのメッセージは、ＩＰ（Internet Protocol）ヘッダ、ＴＣＰ（Transmission Control Protocol）ヘッダ、ペイロード（payload：データ本体）からなっている。
【０１１４】
図１０において、ＩＰヘッダは、宛先ＩＰアドレス、送信元ＩＰアドレスからなっている。
【０１１５】
ＴＣＰヘッダは、宛先ＴＣＰポート番号、送信元ＴＣＰポート番号からなっている。
【０１１６】
ペイロードは、日記データ要求メッセージである、ユーザ識別子、日記取得範囲（ｂｅｇｉｎ）、日記取得範囲（ｅｎｄ）からなっている。
【０１１７】
一方、図１１に示すように、日記サーバ５００から携帯端末４００へのメッセージは、携帯端末４００から日記サーバ５００へのメッセージと同じく、ＩＰヘッダ、ＴＣＰヘッダ、ペイロードからなっている。
【０１１８】
図１１において、ＩＰヘッダ及びＴＣＰヘッダは、図１０と同様である。
【０１１９】
ペイロードは、日記データ応答メッセージである、ユーザ識別子、及び取得範囲の日記データ（ｈｔｍｌデータ、写真データ、動画データ、地図データなど）からなっている。
【０１２０】
なお、ここでは、ＩＰ通信を例にとったメッセージ形式について説明したが、ＩＰ通信において必ずしもＴＣＰを使う必要はない。また、携帯端末４００と日記サーバ５００との間で通信ができれば、必ずしもＩＰ通信を使わなくてもよい。また、ペイロードのフォーマットは特に制限しなくてもよい。
【０１２１】
また、携帯端末４００から日記サーバ５００への日記データ要求メッセージでは、現在時刻のみ通知して、日記サーバ５００側で日記取得範囲を導出し、その日記取得範囲分だけ携帯端末４００に日記サーバ５００から日記データを送信する仕組みであってもよい。
【０１２２】
次に、本例のコンテンツ管理システム１００において、所定の日記ページを表示する指示を受けたときの携帯端末４００の処理動作について説明する。図１２は、本発明の一実施形態に係るコンテンツ管理システムにおいて所定の日記ページを表示する指示を受けたときの携帯端末の処理動作を示すフローチャートである。
【０１２３】
図１２において、携帯端末４００は、携帯端末４００の日記アプリケーションを立ち上げると、日記データ取得指示を受ける（ステップＳＴ１２０１）。
【０１２４】
次いで、日記データ取得指示を受けた携帯端末４００は、日時管理部４０３（図４参照）から現在の日時データを取得する（ステップＳＴ１２０２）。
【０１２５】
そして、日時管理部４０３から現在の日時データを取得した携帯端末４００は、取得した現在日時データをキーに、キャッシュデータ記憶部４０８のキャッシュ検索を開始する（ステップＳＴ１２０３）。
【０１２６】
次いで、ステップＳＴ１２０４において、指定日時の日記データキャッシュが見つかったか否か判断する。
【０１２７】
ここで、指定日時の日記データキャッシュが見つかった場合には、指定日時の日記データを、キャッシュデータ記憶部４０８から読み取り（ステップＳＴ１２０５）、指定日時の日記データを、表示部４０１に表示して（ステップＳＴ１２０６）、携帯端末４００の処理動作を終了する。
【０１２８】
一方、ステップＳＴ１２０４において、指定日時の日記データキャッシュが見つからないと判定された場合には、ダウロードパラメータ記憶部４０９からダウンロードパラメータを読み出す（ステップＳＴ１２０７）。
【０１２９】
そして、ステップＳＴ１２０７で読み出したダウンロードパラメータに基づいて、ダウンロード範囲導出部４１０によりダウンロード範囲、つまり日記データをキャッシュする過去範囲及び未来範囲を導出する（ステップＳＴ１２０８）。
【０１３０】
次いで、日記サーバアクセス部４１１において日記サーバ５００宛に送信するパッケトである日記データ要求メッセージを作成する（ステップＳＴ１２０９）。
【０１３１】
そして、指定日時を要求日時記憶部４０７に格納し（ステップＳＴ１２１０）、日記サーバアクセス部４１１において作成した日記データ要求メッセージを、パッケト送信部４１４により日記サーバ５００宛に送信して（ステップＳＴ１２１１）、携帯端末４００の処理動作を終了する。
【０１３２】
次に、本例のコンテンツ管理システム１００において、日記サーバ５００からパケットを受信したときの携帯端末４００の処理動作について説明する。図１３は、本発明の一実施形態に係るコンテンツ管理システムにおいて日記サーバからパケットを受信したときの携帯端末の処理動作を示すフローチャートである。
【０１３３】
図１３において、携帯端末４００は、日記サーバ５００からパケットを受信する（ステップＳＴ１３０１）と、パケット解析部４１２で日記サーバ５００からの受信パケットを解析する（ステップＳＴ１３０２）。
【０１３４】
次いで、ステップＳＴ１３０３において、日記サーバ５００からの受信パケットは、日記データ応答メッセージであるか否か判断する。
【０１３５】
ここで、日記サーバ５００からの受信パケットが日記データ応答メッセージでなかった場合には、受信パケットのプロトコルに従った処理（ステップＳＴ１３０４）を行った後、携帯端末４００の処理動作を終了する。
【０１３６】
一方、ステップＳＴ１３０３において、日記サーバ５００からの受信パケットが日記データ応答メッセージである場合には、日記データ応答メッセージ内の日記データを抽出し（ステップＳＴ１３０５）、抽出した日記データを、キャッシュデータ記憶部４０８に格納（記憶）する（ステップＳＴ１３０６）。
【０１３７】
次いで、要求日時記憶部４０７に、ユーザが日記サーバ５００にデータ取得を要求している日（指定日）の日時データがあるか否か判断する（ステップＳＴ１３０７）。
【０１３８】
ここで、要求日時記憶部４０７に日時データがない場合には、携帯端末４００の処理動作を終了する。
【０１３９】
一方、ステップＳＴ１３０７において、要求日時記憶部４０７に日時データがある場合には、要求日時記憶部４０７に格納している日時の日記データを、キャッシュデータ記憶部４０８から読み取る（ステップＳＴ１３０８）。
【０１４０】
そして、ステップＳＴ１３０８でキャッシュデータ記憶部４０８から読み取った、要求日時記憶部４０７に格納している日時の日記データを、表示部４０１に表示して（ステップＳＴ１３０９）、携帯端末４００の動作を終了する。
【０１４１】
次に、本例のコンテンツ管理システム１００において、予め指定された時刻に日記サーバ５００からキャッシュデータをダウンロードする携帯端末４００の処理動作について説明する。図１４は、本発明の一実施形態に係るコンテンツ管理システムにおいて予め指定された時刻に日記サーバからキャッシュデータをダウンロードする携帯端末の処理動作を示すフローチャートである。
【０１４２】
図１４において、例えば、午前０時などの日付変更時刻、あるいはタイマ駆動による定時的なチェック時刻などの予め指定された時刻に、携帯端末４００が日記サーバ５００からキャッシュデータをダウンロードする場合には、まず、日時管理部４０３から現在日時データを取得する（ステップＳＴ１４０１）。
【０１４３】
次いで、携帯端末４００が日記サーバ５００からキャッシュデータをダウンロードするように予め指定されたダウンロード指定日時と、日時管理部４０３から取得した現在日時データとを比較する（ステップＳＴ１４０２）。
【０１４４】
そして、ステップＳＴ１４０３において、携帯端末４００が日記サーバ５００からキャッシュデータをダウンロードするように予め指定されたダウンロード指定日時は、日時管理部４０３から取得した現在日時データと等しいか否か判断する（ステップＳＴ１４０３）。
【０１４５】
ここで、ダウンロード指定日時が現在日時データと等しくないと判定された場合には、ステップＳＴ１４０１に戻って、ステップＳＴ１４０１からステップＳＴ１４０３までの処理を繰り返す。
【０１４６】
一方、ステップＳＴ１４０３において、ダウンロード指定日時が現在日時データと等しいと判定された場合には、日記アプリケーション制御部４０５に対して、日記データ取得指示を出し（ステップＳＴ１４０４）、携帯端末４００の動作を終了する。
【０１４７】
次に、本例のコンテンツ管理システム１００において、携帯端末４００からパケットを受信したときの日記サーバ５００の処理動作について説明する。図１５は、本発明の一実施形態に係るコンテンツ管理システムにおいて携帯端末からパケットを受信したときの日記サーバの処理動作を示すフローチャートである。
【０１４８】
図１５において、日記サーバ５００は、携帯端末４００からパケットを受信する（ステップＳＴ１５０１）と、携帯端末４００から受信した受信パケットをパケット解析部５０４で解析する（ステップＳＴ１５０２）。
【０１４９】
そして、ステップＳＴ１５０３において、パケット解析部５０４で解析した携帯端末４００からの受信パケットは、日記データ要求メッセージであるか否か判断する。
【０１５０】
ここで、パケット解析部５０４で解析した携帯端末４００からの受信パケットが日記データ要求メッセージでなかった場合には、受信パケットのプロトコルに従った処理（ステップＳＴ１５０４）を行った後、日記サーバ５００の処理動作を終了する。
【０１５１】
一方、ステップＳＴ１５０３において、パケット解析部５０４で解析した携帯端末４００からの受信パケットが日記データ要求メッセージである場合には、受信パケットの日記データ要求メッセージ内の「ユーザ識別子」、「日記取得範囲」を抽出する（ステップＳＴ１５０５）。
【０１５２】
そして、ステップＳＴ１５０５で抽出した「ユーザ識別子」をキーに、対象となるユーザの日記データを、日記データ記憶部５０１から抽出する（ステップＳＴ１５０６）。
【０１５３】
また、ステップＳＴ１５０５で抽出した「日記取得範囲」をキーに、対象となる範囲の日記データを、日記データ記憶部５０１から抽出する（ステップＳＴ１５０７）。
【０１５４】
次いで、ステップＳＴ１５０６及びステップＳＴ１５０７で抽出した日記データを含む、日記データ応答メッセージを携帯端末アクセス部５０３で作成する（ステップＳＴ１５０８）。
【０１５５】
そして、携帯端末アクセス部５０３で作成した日記データ応答メッセージを、パケット送信部５０６により携帯端末４００宛に送信し（ステップＳＴ１５０９）、日記サーバ５００の処理動作を終了する。
【０１５６】
上述のように、本例のコンテンツ管理システム１００においては、キャッシュデータ記憶部４０８の記憶容量分の一定の期間の日記データを日記サーバ５００からダウンロード（先読み）して、携帯端末４００の限られた容量のメモリからなるキャッシュデータ記憶部４０８にローカルキャッシュとして格納しておくようにしている。
【０１５７】
従って、本例のコンテンツ管理システム１００における携帯端末４００においては、ネットワーク（インターネット３００）上の日記サーバ５００に繋がっていないオフラインの状態であっても、キャッシュデータ記憶部４０８に予めキャッシュしておいた日記データを適時読み出して閲覧することができる。
【０１５８】
また、本例のコンテンツ管理システム１００においては、ユーザが指定した現在日や現在週と、その前後の予め設定した範囲の日記データを、キャッシュデータ記憶部４０８に予めローカルにキャッシュしておくようにしている。
【０１５９】
これにより、本例のコンテンツ管理システム１００における携帯端末４００においては、ネットワーク上の日記サーバ５００に繋がっていない時でも、例えば図２に示した表示部４０１に表示されている「次の週」とか「前の週」といったリンク表示を選択することにより、選択した週の日記データの閲覧が可能になる。
【０１６０】
また、本例のコンテンツ管理システム１００においては、予めキャッシュされていない日や週あるいは年などの日記データを閲覧しようとした場合、閲覧指示があった所望の日記データを、携帯端末４００が日記サーバ５００から直接取得して、キャッシュデータ記憶部４０８にローカルにキャッシュしておくようにしている。
【０１６１】
これにより、携帯端末４００がオフラインの状態で、予めキャッシュされていない日や週あるいは年などの日記データの閲覧も可能となる。
【０１６２】
また、本例のコンテンツ管理システム１００においては、予めキャッシュされていない日や週あるいは年などの日記データを閲覧しようとした場合、閲覧指示があった所望の日記データを日記サーバ５００から取得する際に、その閲覧指示があった日記データの前後の予め設定した範囲の日記データも、キャッシュデータ記憶部４０８に併せてローカルにキャッシュしておくようにしている。
【０１６３】
これにより、本例のコンテンツ管理システム１００における携帯端末４００においては、例えば予めキャッシュされていない週の「次の週」とか「前の週」といったリンク表示を選択することにより、ネットワーク上の日記サーバ５００に繋がっていない時でも選択した週の日記データを閲覧することが可能になる。
【０１６４】
また、本例のコンテンツ管理システム１００においては、指定日の日記データ、及び指定日の前後の期間の日記データをダウンロードする際に、先に指定日の日記データをダウンロードし、その後に指定日の前後の期間の日記データをダウンロードするようにしている。
【０１６５】
従って、本例のコンテンツ管理システム１００における携帯端末４００においては、先読みする期間の日記データが全てダウンロードされるまで待たずに、指定日の日記データをいち早く閲覧することができ、日記データを閲覧する際の待ち時間が短くて済む。
【産業上の利用可能性】
【０１６６】
本発明に係る携帯端末装置は、携帯端末装置がネットワーク上のコンテンツサーバに繋がっていないオフラインの状態であっても、キャッシュデータ記憶手段に記憶容量分だけ予めキャッシュしておいたコンテンツデータを適時読み出して閲覧することができるので、携帯電話やＰＤＡなどの携帯端末装置、ネットワーク上のコンテンツサーバでコンテンツを管理しコンテンツサーバにアクセスした携帯端末装置にコンテンツを配信するコンテンツ管理システム、及び携帯端末装置にコンテンツサーバが配信するコンテンツデータをキャッシュするデータキャッシュ方法として有用である。
【図面の簡単な説明】
【０１６７】
【図１】本発明の一実施の形態に係るコンテンツ管理システムの全体構成を示すブロック図
【図２】本発明の一実施の形態に係るコンテンツ管理システムで用いる携帯端末の表示部に表示される表示画面を示す図
【図３】本発明の一実施の形態に係るコンテンツ管理システムで用いる携帯端末の表示部に表示される表示画面の詳細画面を示す図
【図４】本発明の一実施の形態に係るコンテンツ管理システムで用いる携帯端末の構成を示すブロック図
【図５】本発明の一実施の形態に係るコンテンツ管理システムで用いる日記サーバの構成を示すブロック図
【図６】本発明の一実施の形態に係るコンテンツ管理システムの動作を示すシーケンス図
【図７】本発明の一実施の形態に係るコンテンツ管理システムにおいて携帯端末に予め記憶されていない日記データを閲覧する場合の動作を示すシーケンス図
【図８】本発明の一実施の形態に係るコンテンツ管理システムにおける携帯端末の中の日記データベース構成を示す図
【図９】本発明の一実施の形態に係るコンテンツ管理システムにおける携帯端末の中の日記データベース構成を示す図
【図１０】本発明の一実施の形態に係るコンテンツ管理システムにおける携帯端末から日記サーバへのメッセージの形式を示す図
【図１１】本発明の一実施の形態に係るコンテンツ管理システムにおける日記サーバから携帯端末へのメッセージの形式を示す図
【図１２】本発明の一実施形態に係るコンテンツ管理システムにおいて所定の日記ページを表示する指示を受けたときの携帯端末の処理動作を示すフローチャート
【図１３】本発明の一実施形態に係るコンテンツ管理システムにおいて日記サーバからパケットを受信したときの携帯端末の処理動作を示すフローチャート
【図１４】本発明の一実施形態に係るコンテンツ管理システムにおいて予め指定された時刻に日記サーバからキャッシュデータをダウンロードする携帯端末の処理動作を示すフローチャート
【図１５】本発明の一実施形態に係るコンテンツ管理システムにおいて携帯端末からパケットを受信したときの日記サーバの処理動作を示すフローチャート
【符号の説明】
【０１６８】
１００  コンテンツ管理システム
２００  無線基地局
３００  インターネット
４００  携帯端末
４０１  表示部
４０２  入力部
４０３  日時管理部
４０４  ダウンロード指示部
４０５  日記アプリケーション制御部
４０６  キャッシュアクセス部
４０７  要求日時記憶部
４０８  キャッシュデータ記憶部
４０９  ダウンロードパラメータ記憶部
４１０  ダウンロード範囲導出部
４１１  日記サーバアクセス部
４１２  パケット解析部
４１３  パケット受信部
４１４  パケット送信部
５００  日記サーバ
５０１  日記データ記憶部
５０２  日記データアクセス部
５０３  携帯端末アクセス部
５０４  パケット解析部
５０５  パケット受信部
５０６  パケット送信部
【図１】
0004825533.tif 000002
【図２】
0004825533.tif 000003
【図３】
0004825533.tif 000004
【図４】
0004825533.tif 000005
【図５】
0004825533.tif 000006
【図６】
0004825533.tif 000007
【図７】
0004825533.tif 000008
【図８】
0004825533.tif 000009
【図９】
0004825533.tif 000010
【図１０】
0004825533.tif 000011
【図１１】
0004825533.tif 000012
【図１２】
0004825533.tif 000013
【図１３】
0004825533.tif 000014
【図１４】
0004825533.tif 000015
【図１５】
0004825533.tif 000016